(57)【要約】      （修正有）【課題】筐体内に収納されたアンテナを容易に取り出すことができる電子機器を提供する。【解決手段】電子機器１は、放送波を受信するアンテナ１５と、アンテナ１５が収納される本体１０と、本体１０内に設けられ、アンテナ１５を保持し、ばね１９が接続される第２の止め具１８３、及びガイド溝１８２を有するホルダ１８と、ガイド溝１８２によってガイドされるアーム１６１を有して本体１０に設けられ、かつ、ばね１９と接続される第１の止め具１６３を有し、ユーザによってなされたスライド操作に基づいてばね１９を収縮させ、かつ、本体１０からアンテナ１５を突出させたのち、ばね１９の弾性力に基づいてガイド溝１８２に沿ってスライド操作前の初期位置に復帰する操作部１６と、を備えて構成されているので、アンテナ１５を本体１０から突出させる必要がなく、デザイン性に優れている。【選択図】図２
2009159217.tif 000002
【特許請求の範囲】
【請求項１】
放送波を受信するアンテナと、
前記アンテナが収納される筐体と、
アームを有して前記筐体に設けられ、前記アームによって前記アンテナを保持し、スライド操作に基づいて前記筐体から前記アンテナを突出させる操作部と、
を備えたことを特徴とする電子機器。
【請求項２】
前記操作部は、前記スライド操作方向に垂直な凸部を有する前記アームを備え、前記凸部に前記アンテナの底面を接触させ、前記スライド操作方向と同方向に前記アンテナを移動させることを特徴とする請求項１に記載の電子機器。
【請求項３】
前記アンテナは、その先端部が前記筐体の側面と同一面を形成することを特徴とする請求項２に記載の電子機器。
【請求項４】
放送波を受信するアンテナと、
前記アンテナが収納される筐体と、
前記筐体内に設けられ、前記アンテナを保持し、ガイド溝を有するホルダと、
前記ガイド溝によって案内されるアームを有して前記筐体に設けられ、スライド操作に基づいて前記ガイド溝に沿って前記筐体から前記アンテナを突出させる操作部と、
を備えたことを特徴とする電子機器。
【請求項５】
前記操作部は、前記スライド操作方向に垂直な凸部を有する前記アームを備え、前記凸部に前記アンテナの底面を接触させ、前記スライド操作方向と同方向に前記ガイド溝に沿って前記アンテナを移動させることを特徴とする請求項４に記載の電子機器。
【請求項６】
前記アンテナは、その先端部が前記筐体の側面と同一面を形成することを特徴とする請求項５に記載の電子機器。
【請求項７】
放送波を受信するアンテナと、
前記アンテナが収納される筐体と、
前記筐体内に設けられ、前記アンテナを保持し、弾性部材が接続される第１の接続部、及びガイド溝を有するホルダと、
前記ガイド溝によって案内されるアームを有して前記筐体に設けられ、かつ、前記弾性部材と接続される第２の接続部を有し、スライド操作に基づいて前記弾性部材を収縮させ、かつ、前記筐体から前記アンテナを突出させたのち、前記弾性部材の弾性力に基づいて前記ガイド溝に沿って前記スライド操作前の位置に復帰する操作部と、
を備えたことを特徴とする電子機器。
【請求項８】
前記操作部は、前記スライド操作方向に垂直な凸部を有する前記アームを備え、前記凸部に前記アンテナの底面を接触させ、前記スライド操作方向と同方向に前記ガイド溝に沿って前記アンテナを移動させ、前記スライド操作が終了したのち、前記弾性部材による前記弾性力に基づいて前記スライド操作前の位置に復帰することを特徴とする請求項７に記載の電子機器。
【請求項９】
前記アンテナは、その先端部が前記筐体の側面と同一面を形成することを特徴とする請求項８に記載の電子機器。
【発明の詳細な説明】
【技術分野】
【０００１】
本発明は、電子機器に関する。
【背景技術】
【０００２】
従来の技術として、ヒンジ部を介して第１の筐体と開閉自在となる第２の筐体と、第１の筐体内にアームを有して収納されるアンテナと、アームに連接し、アンテナを突出方向に付勢する付勢手段と、アンテナを収納位置にロックするロック機構と、ヒンジ部のアームに対応する位置に設けた切り欠き溝と、第２の筐体の切り欠き溝に対応する位置に設けた突起と、を備えた折り畳み式携帯無線装置が知られている（例えば、特許文献１参照）。
【０００３】
この折り畳み式携帯無線装置によると、閉じている状態の第１及び第２の筐体を広げたとき、突起がヒンジ部の切り欠き溝に沿って移動してアームを押すことにより、ロック機構を解除し、付勢手段による弾性力によってアンテナが第１の筐体外に飛び出すので、アンテナを手で摘み出す凹みが不要となる。
【特許文献１】特開平９−２７７０７号公報
【発明の開示】
【発明が解決しようとする課題】
【０００４】
しかし、従来の折り畳み式携帯無線装置によると、この従来の折り畳み式携帯無線装置におけるアンテナの取り出し構造は、折り畳み式のものにしか、用いることができず、また、アンテナを利用しない用途で使用したい場合においても、アンテナが飛び出すので、ユーザの利便性が良くなかった。
【０００５】
従って、本発明の目的は、筐体内に収納されたアンテナを容易に取り出すことができる電子機器を提供することにある。
【課題を解決するための手段】
【０００６】
（１）本発明は上記目的を達成するため、放送波を受信するアンテナと、前記アンテナが収納される筐体と、アームを有して前記筐体に設けられ、前記アームによって前記アンテナを保持し、スライド操作に基づいて前記筐体から前記アンテナを突出させる操作部と、を備えたことを特徴とする電子機器を提供する。
【０００７】
このような構成によれば、電子機器に収納されたアンテナを取り出すことができる。
【０００８】
（２）本発明は上記目的を達成するため、放送波を受信するアンテナと、前記アンテナが収納される筐体と、前記筐体内に設けられ、前記アンテナを保持し、ガイド溝を有するホルダと、前記ガイド溝によって案内されるアームを有して前記筐体に設けられ、スライド操作に基づいて前記ガイド溝に沿って前記筐体から前記アンテナを突出させる操作部と、を備えたことを特徴とする電子機器を提供する。
【０００９】
このような構成によれば、電子機器に収納されたアンテナを容易に取り出すことができる。
【００１０】
（３）本発明は、上記目的を達成するため、放送波を受信するアンテナと、前記アンテナが収納される筐体と、前記筐体内に設けられ、前記アンテナを保持し、弾性部材が接続される第１の接続部、及びガイド溝を有するホルダと、前記ガイド溝によって案内されるアームを有して前記筐体に設けられ、かつ、前記弾性部材と接続される第２の接続部を有し、スライド操作に基づいて前記弾性部材を収縮させ、かつ、前記筐体から前記アンテナを突出させたのち、前記弾性部材の弾性力に基づいて前記ガイド溝に沿って前記スライド操作前の位置に復帰する操作部と、を備えたことを特徴とする電子機器を提供する。
【００１１】
このような構成によれば、電子機器に収納されたアンテナを容易に取り出したのち、操作部を自動的に初期位置に戻すことができる。
【発明の効果】
【００１２】
本発明によれば、筐体内に収納されたアンテナを容易に取り出すことができる。
【発明を実施するための最良の形態】
【００１３】
以下に、本発明の電子機器の実施の形態を図面を参考にして詳細に説明する。
【００１４】
［実施の形態］
（電子機器１の構成）
図１は、本発明の実施の形態に係る電子機器の斜視図である。図１に示す電子機器１は、筐体としての本体１０にアンテナ１５が収納されている状態を表している。
【００１５】
電子機器１は、アンテナ１４を介して外部より放送波を受信して音声や映像を出力したり、内蔵された図示しない記憶部に記憶された音楽データや映像データを再生して音声や映像を出力したりすることができるマルチメディアプレイヤーである。また、電子機器１は、本体１０内にＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の図示しない電子部品を収納し、正面部に電子機器１の電源投入状態（電源オン／オフ）を切り替える電源スイッチ１１と、文字や画像等を表示する液晶表示パネル等からなる表示部１２と、メニュー操作やボリューム操作、チャンネル切替操作等を行える複数のスイッチからなる操作ボタン群１３と、音声が出力される音声出力部１４と、本体１０の側面に設けられ、放送波を受信することができるアンテナ１５と、矢印Ａ方向にスライド操作することによって、アンテナ１５を本体１０内から取り出すことができる操作部１６と、オンすることによって現在の動作状態を保持することができるホールドボタン１７と、電子機器１をチルトさせることができるスタンド１１０と、を備えて概略構成されている。
【００１６】
（アンテナ取出機構１６Ａの構成）
図２は、本発明の実施の形態に係るアンテナ取出機構の分解図である。アンテナ取出機構１６Ａは、図２に示すように、主に、操作部１６と、アンテナ１５と、ホルダ１８と、弾性部材としてのばね１９と、を備えて概略構成されている。本実施の形態における弾性部材は、図２に示すように、線状の金属部材をコイル状に巻いたものであるが、例えば、弾性を有する樹脂部材等であってもよく、板ばね等の弾性力を生成する機械要素によって作製されても良く、これに限定されない。
【００１７】
アンテナ１５は、長さが自由に決められる収縮タイプのロッドアンテナであり、本体１５０と、本体１５０の底部１５１と、先端部１５２と、を備えて概略構成されている。
【００１８】
操作部１６は、本体１０上部に設けられた操作部開口１０１から外部に露出し、ユーザが直接操作するボタンである操作プレート１６０と、略Ｌ字形状を有して操作プレート１６０と接続され、長手方向に伸びるアーム１６１と、アーム１６１の端部から垂直方向に設けられた凸部１６２と、凸部１６２からアーム１６１に対して平行方向に設けられた第２の接続部としての第１の止め具１６３と、を備えて概略構成されている。操作プレート１６０の移動距離は、操作部開口１０１によって規制され、一例として５ｍｍであるが、これに限定されない。
【００１９】
ホルダ１８は、筒形状を有しており、アンテナ１５を挿入し、ガイド（案内）することができる凹部１８０と、アーム１６１側の開放されている側面である開放面１８１と、操作部１６のスライド操作時の移動をガイドするものであり、開放面１８１と対向する面に設けられたガイド溝１８２と、ガイド溝１８２が設けられた面に設けられた第１の接続部としての第２の止め具１８３と、を備えて概略構成されている。ホルダ１８は、本体１０にねじ等によって接続されていても良い。なお、本実施の形態において、アンテナ取出機構１６Ａは、ホルダ１８及びばね１９を備えているが、これに限定されず、アンテナ１５をガイドする機構が、本体１０側にあっても良く、また、ばね１９を使用しない構成としても良い。アンテナ取出機構１６Ａは、ばね１９を使用しないとき、ユーザの操作によって、操作部１６を初期位置に戻すものであっても良い。
【００２０】
（動作）
以下に、本発明の電子機器に関する動作について、図１及び図２を参照し、後述する図３（ａ）から図４（ｃ）を参照しながら詳細に説明する。
【００２１】
（アンテナ取出機構１６Ａの組立方法について）
アンテナ取出機構１６Ａは、図２に示すように、まずアーム１６１の凸部１６２をガイド溝１８２に挿入する。続いて、アンテナ１５をホルダ１８の凹部１８０から挿入し、アーム１６１の凸部１６２に接触させる。続いて第１の止め具１６３と第２の止め具１８３の間にばね１９を縮めてから挿入して組立てることができる。なお、組立ての順序は、これに限定されず、例えば、先にアンテナ１５の底部１５１を凸部１６２に接触させてから凸部１６２をガイド溝１８２に挿入しても良く、これに限定されない。
【００２２】
（アンテナ１５の取出動作について）
図３（ａ）は、本発明の実施の形態に係るアンテナが収納された状態の電気機器の背面図であり、図３（ｂ）及び（ｃ）は、本発明の実施の形態に係るアンテナが収納された状態のアンテナ取出機構の拡大図であり、図４（ａ）は、本発明の実施の形態に係るアンテナが収納された状態の電気機器の背面図であり、図４（ｂ）及び（ｃ）は、本発明の実施の形態に係るアンテナが収納された状態のアンテナ取出機構の拡大図である。図３（ｃ）は、図３（ｂ）のアンテナ取出機構１６Ａの状態を別の角度から見た図であり、図４（ｃ）は、図４（ｂ）のアンテナ取出機構１６Ａの状態を別の角度から見た図である。
【００２３】
ユーザは、電子機器１によってテレビジョン放送を視聴するため、アンテナ１５の取出動作を始める。
【００２４】
このとき、アンテナ取出機構１６Ａは、図３（ｂ）、（ｃ）に示すように、ばね１９が、自然長に近い状態となっている。アンテナ１５は、本体１０に設けられたアンテナ開口１００にその先端部１５２が入っている状態であり、本体１０の側面と先端部１５２が同一面を形成するように収納されている。この状態では、アンテナ開口１００から、アンテナ１５の先端部１５２は突出せず、また、先端部１５２を指で摘むための凹部を本体１０は有していないので、デザイン性に優れているが、ユーザはアンテナ１５を摘み出すことができない。
【００２５】
そこでユーザは、本体１０上面に設けられている操作プレート１６０に対してアンテナ１５の先端部１５２の方向、すなわち本体１０のアンテナ開口１００を有する側面方向にスライド操作を行う。
【００２６】
このとき、操作プレート１６０及びアーム１６１を介して凸部１６２が、側面方向にガイド溝１８２に沿って移動するので、凸部１６２に底部１５１が接しているアンテナ１５も同時に移動する。操作プレート１６０がスライド操作によって移動する距離は、上記のように一例として５ｍｍであるので、図４（ｂ）及び（ｃ）に示すように、アンテナ１５の先端部１５２が、本体１０の外に突出する。ユーザは、この突出したアンテナ１５の先端部１５２を摘み、引くことでアンテナ１５は伸張し、放送波を受信し易い位置に自由に向けることができる。
【００２７】
ユーザがスライド操作を行って、操作プレート１６０から指を離したとき、図４（ｂ）及び（ｃ）に示すように、弾性力を蓄積したばね１９が、蓄積した弾性力を開放するので、ガイド溝１８２に沿って凸部１６２及びアーム１６１を介して操作プレート１６０は初期位置に戻る。よってユーザは、アンテナ１５の取出動作を行ったのち、操作プレート１６０を初期位置に戻す動作から開放される。
【００２８】
ユーザは、テレビジョン放送の視聴が終了すると、アンテナ１５を本体１０に押し込むことで、アンテナ１５を本体１０に収納することができる。
【００２９】
（効果）
上記した実施の形態によれば、アンテナ１５を本体１０内に収納することができ、僅かに突出させたり、アンテナ開口１００付近に凹部を設けたりして、アンテナ１５を摘み出し易いようにする必要がないので、デザイン性に優れている。また、スライド操作によってアンテナ１５を容易に取り出すことができる。さらに、ばね１９による弾性力によって操作部１６を自動的に初期位置に戻すことができるので、ユーザの利便性を高めることができる。
【００３０】
なお、本発明は、上記した実施の形態に限定されず、本発明の技術思想を逸脱あるいは変更しない範囲内で種々の変形が可能である。
【図面の簡単な説明】
【００３１】
【図１】本発明の実施の形態に係る電子機器の斜視図である。
【図２】本発明の実施の形態に係るアンテナ取出機構の分解図である。
【図３】（ａ）は、本発明の実施の形態に係るアンテナが収納された状態の電気機器の背面図であり、（ｂ）及び（ｃ）は、本発明の実施の形態に係るアンテナが収納された状態のアンテナ取出機構の拡大図である。
【図４】（ａ）は、本発明の実施の形態に係るアンテナが収納された状態の電気機器の背面図であり、（ｂ）及び（ｃ）は、本発明の実施の形態に係るアンテナが収納された状態のアンテナ取出機構の拡大図である。
【符号の説明】
【００３２】
１…電子機器、１０…本体、１１…電源スイッチ、１２…表示部、１３…操作ボタン群、１４…音声出力部、１５…アンテナ、１６…操作部、１６Ａ…アンテナ取出機構、１７…ホールドボタン、１８…ホルダ、１９…ばね、１００…アンテナ開口、１０１…操作部開口、１１０…スタンド、１５０…本体、１５１…底部、１５２…先端部、１６０…操作プレート、１６１…アーム、１６２…凸部、１６３…第１の止め具、１８０…凹部、１８１…開放面、１８２…ガイド溝、１８３…第２の止め具
【図１】
2009159217.tif 000003
【図２】
2009159217.tif 000004
【図３】
2009159217.tif 000005
【図４】
2009159217.tif 000006